(57)【要約】【課題】  侵入防止用の索状部材（有刺鉄線等）の切断行為のみならず、バイパス行為や無理な取り外し行為など、さまざまな不法な侵入行為を確実に検知して報知することができ、不法な侵入行為に対する威嚇、撃退、抑止効果を高めた防犯装置を提供すること。【解決手段】  侵入防止用の導電性を有する有刺鉄線３と、有刺鉄線３と被覆電線５、６、８とが接続されて形成された電気回路に所定の電圧を印加するための直流安定化電源回路１２と、電気回路の抵抗値の変化を検出する抵抗検出装置１３と、侵入行為を報知するための警報機器１８や照明機器２３と、抵抗検出装置１３によって抵抗値の変化が検出された場合に警報機器１８や照明機器２３を駆動させる検出保持リレー１７とを装備する。【選択図】  図１
0003114686.tif 000002
【実用新案登録請求の範囲】
【請求項１】
侵入防止用の導電性を有する索状部材と、
該索状部材と電線とが接続されて形成された電気回路に所定の電圧を印加するための電
源と、                                                                          
前記電気回路の抵抗値の変化を検出する抵抗値検出手段と、
侵入行為を報知するための警報手段と、
前記抵抗値検出手段によって抵抗値の変化が検出された場合に前記警報手段を駆動させ
る警報駆動手段とを備えていることを特徴とする防犯装置。
【請求項２】
前記抵抗値検出手段が、前記電源から前記電気回路への電圧の印加が遮断された状態で
も検出可能であり、
前記警報駆動手段が、前記抵抗値検出手段によって前記電源から前記電気回路への電圧
の印加が遮断された状態が検出された場合に前記警報手段を駆動させるものであることを
特徴とする請求項１記載の防犯装置。
【請求項３】
前記索状部材及び／又は前記電線に接点開閉手段が介装されており、
該接点開閉手段が、前記索状部材又は前記電線に所定値以上の張力が加わった場合に前
記電気回路の接続状態が変化するように配設されたものであることを特徴とする請求項１
又は請求項２記載の防犯装置。
【請求項４】
前記警報駆動手段が、前記抵抗値検出手段から出力される抵抗値変化の検出出力に基づ
いて、リセットされるまで前記警報手段を駆動させる状態を保持する駆動保持手段を含ん
で構成されていることを特徴とする請求項１〜３のいずれかの項に記載の防犯装置。
【請求項５】
蓄電可能な補助電源を備え、
該補助電源から前記警報手段に駆動電力が供給されるように構成されていることを特徴
とする請求項１〜４のいずれかの項に記載の防犯装置。
【請求項６】
撮像手段が接続可能に構成され、
前記補助電源から前記撮像手段に駆動電力が供給されるように構成されていることを特
徴とする請求項５記載の防犯装置。
【請求項７】
前記索状部材が、単位長さ毎の抵抗値が異なるように構成されたものであることを特徴
とする請求項１〜６のいずれかの項に記載の防犯装置。
【請求項８】
前記索状部材が、有刺鉄線であることを特徴とする請求項１〜７のいずれかの項に記載
の防犯装置。
【考案の詳細な説明】
【技術分野】
【０００１】
本考案は防犯装置に関し、より詳細には、侵入防止用に設けられる有刺鉄線等の索状部
材を利用した防犯装置に関する。
【背景技術】
【０００２】
従来から、私有地や施設内への不法な侵入を防止するための防犯手段として、有刺鉄線
が張設されたフェンスが使用されている。有刺鉄線が張設されたフェンスは、視覚的に堅
牢な印象を与える一方、ペンチ等の工具によって比較的容易に切断することが可能であり
、また、有刺鉄線を切断して侵入する者に対して、何ら防御策が採られておらず、防犯効
果が高いものとは言えなかった。
【０００３】
このような課題を解決するものとして、下記の特許文献１には、有刺線の線材の芯線に
電流を流しておき、前記有刺線が切断された場合に、該有刺線の芯線に流れる電流が遮断
されたことを検知して、警報器を駆動させるように構成された有刺線フェンスが開示され
ている。
【０００４】
しかしながら、特許文献１記載の有刺線フェンスでは、侵入者が、有刺線を切断しても
電流が流れるようにバイパス用の別の電線を用意し、該電線で有刺線をバイパスして、電
源からバイパス点以遠の有刺線を切断した場合には、バイパスされた電線により有刺線の
芯線に流れる電流が遮断されないため、有刺線が切断されたことを検知することができず
、侵入の検知を逃れることができるという課題があった。
【０００５】
また、特許文献１記載の有刺線フェンスでは、侵入者が有刺線を取り外そうとして、無
理に引っ張ったりしたとしても、有刺線が切断されなければ、警報器が駆動されないため
、切断以外の不法な侵入行為を検知することができないという課題があった。
【特許文献１】特開平５−２８７９４０号公報
【考案の開示】
【課題を解決するための手段及びその効果】
【０００６】
本考案は上記課題に鑑みなされたものであって、侵入防止用に設けられる索状部材の切
断行為のみならず、別の電線を用いたバイパス行為や無理な取り外し行為など、さまざま
な不法な侵入行為を確実に検知して報知することができ、不法な侵入を防止する効果を高
めることのできる防犯装置を提供することを目的としている。
【０００７】
上記目的を達成するために本考案に係る防犯装置（１）は、侵入防止用の導電性を有す
る索状部材と、該索状部材と電線とが接続されて形成された電気回路に所定の電圧を印加
するための電源と、前記電気回路の抵抗値の変化を検出する抵抗値検出手段と、侵入行為
を報知するための警報手段と、前記抵抗値検出手段によって抵抗値の変化が検出された場
合に前記警報手段を駆動させる警報駆動手段とを備えていることを特徴としている。
【０００８】
上記防犯装置（１）によれば、前記索状部材が電気回路の一部として構成され、該電気
回路の抵抗値の変化が前記抵抗値検出手段で検出される。したがって、前記電気回路の抵
抗値の変化が生じる行為、すなわち、前記索状部材や前記電線の切断行為のみならず、該
切断行為の発覚を逃れようとするための別の電線を用いたバイパス行為も検知することが
できる。また、該検知に基づいて前記警報手段が駆動されて、侵入者への威嚇を行い、撃
退させることができ、シンプルな構成で不法な侵入を抑止する効果の高い防犯装置とする
ことができる。
【０００９】
また本考案に係る防犯装置（２）は、上記防犯装置（１）において、前記抵抗値検出手
段が、前記電源から前記電気回路への電圧の印加が遮断された状態でも検出可能であり、
前記警報駆動手段が、前記抵抗値検出手段によって前記電源から前記電気回路への電圧の
印加が遮断された状態が検出された場合に前記警報手段を駆動させるものであることを特
徴としている。
【００１０】
上記防犯装置（２）によれば、落雷等の事故や侵入者の不法な行為によって、前記電源
から前記電気回路への電圧の印加が遮断された場合であっても、前記警報手段が駆動され
て報知が行われるので、停電時における不法な侵入行為を抑止する効果を高めることがで
きる。
【００１１】
また本考案に係る防犯装置（３）は、上記防犯装置（１）又は（２）において、前記索
状部材及び／又は前記電線に接点開閉手段が介装されており、該接点開閉手段が、前記索
状部材又は前記電線に所定値以上の張力が加わった場合に前記電気回路の接続状態が変化
するように配設されたものであることを特徴としている。
【００１２】
上記防犯装置（３）によれば、前記接点開閉手段が、前記索状部材又は前記電線に所定
値以上の張力が加わった場合に、前記電気回路の接続状態が変化するように、例えば、前
記電気回路がオープンしたり、前記索状部材を介さない閉じた回路に切り替わるように配
設されたものであるので、前記索状部材又は前記電線に所定値以上の張力が加わった場合
に、前記電気回路の抵抗値の変化が発生する（例えば、前記電気回路がオープンした場合
には、抵抗値が無限大となる、又は前記索状部材を介さない閉じた回路に切り替わった場
合には、抵抗値が小さくなる）ので、前記索状部材や前記電線を無理やり動かそうとする
行為や不用意に動かした行為等も検知することができ、多様な侵入行為を検知することが
でき、防犯効果を一層高めることができる。なお、前記接点開閉手段の介装箇所や個数は
、任意に設定することができ、配設箇所を工夫することにより、多様な侵入行為の検知を
行うことが可能になる。
【００１３】
また本考案に係る防犯装置（４）は、上記防犯装置（１）〜（３）のいずれかにおいて
、前記警報駆動手段が、前記抵抗値検出手段から出力される抵抗値変化の検出出力に基づ
いて、リセットされるまで前記警報手段を駆動させる状態を保持する駆動保持手段を含ん
で構成されていることを特徴としている。
【００１４】
上記防犯装置（４）によれば、前記駆動保持手段によって、前記抵抗値検出手段から出
力される抵抗値変化の検出出力に基づいて、リセットされるまで前記警報手段を駆動させ
る状態が保持されるので、管理人等によりリセットされるまで（すなわち、前記警報手段
の駆動状態の解除操作が行われるまで）前記警報手段を駆動させることができ、侵入者に
対する威嚇及び撃退効果を高めることができる。
【００１５】
また本考案に係る防犯装置（５）は、上記防犯装置（１）〜（４）のいずれかにおいて
、蓄電可能な補助電源を備え、該補助電源から前記警報手段に駆動電力が供給されるよう
に構成されていることを特徴としている。
【００１６】
上記防犯装置（５）によれば、前記補助電源から前記警報手段に駆動電力が供給される
ように構成されているので、侵入後に商用電源などの外部から供給される電力が断たれた
場合でも、前記補助電源から供給される電力で前記警報手段を継続して駆動させることが
できる。
【００１７】
また本考案に係る防犯装置（６）は、上記防犯装置（５）において、撮像手段が接続可
能に構成され、前記補助電源から前記撮像手段に駆動電力が供給されるように構成されて
いることを特徴としている。
【００１８】
上記防犯装置（６）によれば、前記補助電源から前記撮像手段に駆動電力が供給される
ように構成されているので、商用電源などの外部から供給される電力が、落雷等の事故や
侵入者の不法な行為によって断たれた場合でも、前記補助電源から供給される電力で前記
撮像手段を駆動させることができ、侵入行為の一部始終を映像や画像として記録すること
が可能となる。
【００１９】
また本考案に係る防犯装置（７）は、上記防犯装置（１）〜（６）のいずれかにおいて
、前記索状部材が、単位長さ毎の抵抗値が異なるように構成されたものであることを特徴
としている。
【００２０】
上記防犯装置（７）によれば、前記索状部材が、単位長さ毎の抵抗値が異なるように構
成されたものであるので、侵入者が、前記索状部材の単位長さ当たりの抵抗値を測定し、
該抵抗値を基にして用意した電線でバイパス行為を行おうとした場合であっても、前記索
状部材の単位長さ毎の抵抗値が異なるため、抵抗値を一致させることが極めて難しく、バ
イパス行為による不法な侵入を略完全に阻止することができ、不法な侵入を阻止する効果
を一層高めることができる。
【００２１】
また本考案に係る防犯装置（８）は、上記防犯装置（１）〜（７）のいずれかにおいて
、前記索状部材が、有刺鉄線であることを特徴としている。
上記防犯装置（８）によれば、前記索状部材が、有刺鉄線であるので、視覚的に堅牢な
印象を与えることができ、心理的にも侵入を抑止する効果を高めることができる。
【考案を実施するための最良の形態】
【００２２】
以下、本考案に係る防犯装置の実施の形態を図面に基づいて説明する。図１は、実施の
形態に係る防犯装置の概略構成を示したブロック図である。
図中１は、私有地や施設等の境界区域（警戒区域）に設けられたフェンスを示しており
、フェンス１上面に所定間隔で支柱２が立設され、これらの支柱２間に侵入防止用のコイ
ル状に巻かれた有刺鉄線３が張設されている。有刺鉄線３は、支柱２に設けられた絶縁器
具４を介して支柱２に支持された状態で取り付けられている。また、別の実施の形態では
、絶縁器具４を使用せずに、非導電性の合成樹脂等で形成された支柱に有刺鉄線３が巻着
されて取り付けられていてもよく、いずれにしろ有刺鉄線３は、フェンス１や支柱２等と
絶縁状態となるように取り付けられる。
【００２３】
なお、有刺鉄線３は、鉛、亜鉛、アルミ等でメッキされた鉄の針金（本線と刺線）を用
いて形成された一般的なものでもよいが、有刺鉄線３の本線として、単位長さ毎の抵抗値
が異なるように形成されたものを用いる方が好ましい。このような有刺鉄線３の形成材料
としては、例えば、抵抗値が異なる種々の元素の濃度が不均一となるように添加して作ら
れた合金が挙げられ、また、有刺鉄線３の本線として均一材料であって断面積が不均一と
なるように加工されたものが使用されてもよい。
【００２４】
また、有刺鉄線３の一端側３ａは、非導電性の合成樹脂等で被覆された被覆電線５に接
続され、被覆電線５は、敷地内に設置された制御ボックス１０の接続端子１１ａに接続さ
れている。また、有刺鉄線３の他端側３ｂは、被覆電線６の一端に接続され、被覆電線６
の他端は、支柱２に取り付けられたスイッチ素子７のＣＯＭ端子に接続されている。なお
、図１では、被覆電線６がフェンス１に這わせた状態で配設されているが、別の実施の形
態では、被覆電線６を有刺鉄線３の中空部分を通したり、有刺鉄線３に巻き付けた状態で
配設することもできる。                                                          
【００２５】
スイッチ素子７には、レバー７ａ、プランジャ７ｂ、可動片７ｃ、ＣＯＭ端子、ＮＣ端
子、及びＮＯ端子を備えたスイッチ、すなわち、微小接点間隔とスナップアクション機構
を有し、規定された動きと規定された力で開閉動作する接点機構がケースに納められたマ
イクロスイッチが採用されている。スイッチ素子７は、有刺鉄線３の中空部分を通って支
柱２間に張設された被覆電線９に所定値以上の張力が加えられた場合に、被覆電線９に連
結されたバネ部材９ａが伸び、被覆電線９とレバー７ａとに連結された糸部材９ｂが引っ
張られて、レバー７ａが作動し、プランジャ７ｂが内部に押し込まれて、可動片７ｃがＮ
Ｃ端子からＮＯ端子に切り替えられて、接点がオープンするように配設されている。なお
、図１では、被覆電線９の一端が支柱２に取り付けられているが、別の実施の形態では、
被覆電線９の一端を有刺鉄線３や被覆電線６に取り付けることもでき、係る構成によれば
、有刺鉄線３や被覆電線６が、侵入者等により引っ張られた場合に、スイッチ素子７の接
点をオープンさせることができる。
【００２６】
また、スイッチ素子７のＮＣ端子には、被覆電線８が接続され、被覆電線８は、制御ボ
ックス１０の接続端子１１ｂに接続されている。これら被覆電線５、有刺鉄線３、被覆電
線６、スイッチ素子７、及び被覆電線８を含んで直列回路が形成されている。
【００２７】
制御ボックス１０内では、接続端子１１ａ、１１ｂ間に、有刺鉄線３を含む直列回路の
抵抗値の変化を検出する抵抗検出装置１３が接続されており、抵抗検出装置１３には、交
流電源（ＡＣ１００Ｖ）２０を安定した直流電源（ＤＣ１２Ｖ）に変換するための直流安
定化電源回路１２が接続されている。
【００２８】
また、制御ボックス１０内には、交流電源（ＡＣ１００）２０を所要の直流電圧に整流
して所要の充電電流が得られるように構成された充電器１４が１２Ｖのバッテリ１５に接
続されており、バッテリ１５は、リセットスイッチ１６及び検出保持リレー１７を介して
、警報音を発する警報機器１８と、外部出力端子２１ａに接続された被覆電線２２を介し
て侵入者等を照らす照明灯や、侵入行為を周辺に知らせるための回転灯などを含む照明機
器２３とに接続されている。
【００２９】
また、バッテリ１５は、外部出力端子２１ｂに接続された被覆電線２４を介して画像記
録機能を有した撮像機器２５にも接続されており、バッテリ１５から警報機器１８、照明
機器２３、及び撮像機器２５に駆動電力が供給されるように構成されている。
【００３０】
抵抗検出装置１３は、有刺鉄線３を含む直列回路の抵抗値を検出するとともに、予め設
定された基準抵抗値と、検出された直列回路の抵抗値とを比較して、検出された直列回路
の抵抗値が、基準抵抗値の範囲外となった（すなわち、直列回路の抵抗値が変化した）場
合に、検出保持リレー１７をＯＮするための検出出力を行うようになっている。
【００３１】
すなわち、検出保持リレー１７を構成する電磁コイル（図示せず）とバッテリ１５の＋
端子との間に介装された検出出力ＳＷ（図示せず）をＯＮして、前記電磁コイルに電流を
流し、バッテリ１５の＋端子とリセットスイッチ１６とを介して接続された２回路２接点
のリレースイッチ（図示せず）がＯＮされて、該リレースイッチに接続された警報機器１
８、照明機器２３に駆動電力が供給されるようになっている。なお、抵抗検出装置１３に
おける基準抵抗値は、有刺鉄線３の長さ等、直列回路の抵抗値に影響を与える要因を考慮
して調整することが可能となっている。
【００３２】
検出保持リレー１７では、抵抗検出装置１３から出力された検出出力によってリレーが
ＯＮされると、リセットスイッチ１６によってリセットされるまで閉状態を保持し、検出
保持リレー１７に接続された、警報機器１８と照明機器２３とが駆動されるようになって
おり、リレーのＯＮにより警報機器１８、照明機器２３が駆動する構成としたり、リレー
のＯＮにより、警報機器１８、照明機器２３の各スイッチを所定時間後にＯＮする構成と
することができる。
【００３３】
また、直流安定化電源回路１２と抵抗検出装置１３との間、及びバッテリ１５とリセッ
トスイッチ１６との間には、通常時閉となっている２回路１接点のメイン電源スイッチ１
９が介装されている。なお、金属製の箱からなる制御ボックス１０は、施錠されており、
鍵を所有している者しか解錠できないように構成されており、侵入者によって、リセット
スイッチ１６やメイン電源スイッチ１９が操作できないようになっている。
【００３４】
次に実施の形態に係る防犯装置による侵入者の検知動作について説明する。
まず、侵入者によって、有刺鉄線３又は被覆電線５、６、８のいずれかが切断されると
、有刺鉄線３を含む直列回路に流れる電流が遮断され、抵抗検出装置１３で検出される直
列回路の抵抗値が無限大となり、抵抗検出装置１３で、直列回路の抵抗値が基準抵抗値範
囲外になったことが検知されて、検出保持リレー１７をＯＮする検出出力が出力され、該
検出出力により検出保持リレー１７がＯＮされ、警報機器１８と照明機器２３とが駆動さ
れ、音と光により侵入者を威嚇して撃退するようになっている。また、撮像機器２５によ
り、侵入者の侵入行為が一部始終映像で記録されるようになっている。
【００３５】
次に、侵入者が、有刺鉄線３を切断しても直列回路に流れる電流をゼロにしないために
、侵入者が用意した電線で有刺鉄線３のある区間をバイパスしたとすると、バイパスされ
た区間が並列回路となるため、抵抗検出装置１３で検出される直列回路の抵抗値が低下し
、抵抗検出装置１３で、直列回路の抵抗値が基準抵抗値範囲外になったことが検知され、
検出保持リレー１７をＯＮする検出出力が出力され、該検出出力により検出保持リレー１
７がＯＮされ、上記と同様に警報機器１８と照明機器２３とが駆動される。
【００３６】
また、侵入者が、有刺鉄線３を引上げたりして、無理に動かそうとすると、有刺鉄線３
の中空部分に通されたワイヤ９が引っ張られてスイッチ素子７の可動片７ｃがＮＣ端子か
らＮＯ端子に切り替わり、接点がオープンする。したがって、有刺鉄線３又は被覆電線５
、６、８のいずれかが切断された場合と同様に、有刺鉄線３を含む直列回路に流れる電流
が遮断され、抵抗検出装置１３で検出される直列回路の抵抗値が無限大となり、抵抗検出
装置１３で、直列回路の抵抗値が基準抵抗値範囲外になったことが検知されて、検出保持
リレー１７をＯＮする検出出力が出力され、該検出出力により検出保持リレー１７がＯＮ
され、警報機器１８と照明機器２３とが駆動される。
【００３７】
また、交流電源２０からの電力供給が断たれた場合、抵抗検出装置１３への電源供給が
遮断され、有刺鉄線３を含む直列回路に電圧が印加されなくなるため、抵抗検出装置１３
で正常な抵抗値の検出ができなくなり、抵抗検出装置１３で、この状態が検知され、検出
保持リレー１７をＯＮする検出出力が出力され、該検出出力により検出保持リレー１７が
ＯＮされ、警報機器１８と照明機器２３とが駆動される。
【００３８】
上記実施の形態に係る防犯装置によれば、索状部材である有刺鉄線３が電気回路の一部
として構成され、該電気回路の抵抗値の変化が抵抗検出装置１３で検出される。したがっ
て、電気回路の抵抗値の変化が生じる行為、すなわち、有刺鉄線３や被覆電線５、６、８
の切断行為のみならず、該切断行為の発覚を逃れようとするための別の電線を用いたバイ
パス行為も検知することができる。
【００３９】
また、有刺鉄線３を動かそうとして被覆電線９に所定値以上の張力が加わった場合に、
スイッチ素子７の可動片７ｃがＮＣ端子からＮＯ端子に切り替わり、接点がオープンし、
電気回路の抵抗値が無限大となる変化が発生するので、有刺鉄線３を無理やり動かそうと
する行為や、有刺鉄線３を乗り越えるためにマット等を覆い被せる行為等も検知すること
ができ、侵入者による多様な侵入行為を検知することができる。
【００４０】
また、落雷等の事故や侵入者の不法な行為によって、直流安定化電源回路１２から有刺
鉄線３を含む電気回路への電圧の印加が遮断された場合であっても、警報機器１８や照明
機器２３が駆動されて報知が行われるので、停電時における不法な侵入行為を抑止する効
果を高めることができる。
【００４１】
また、検出保持リレー１７によって、抵抗検出装置１３から出力される抵抗値変化の検
出出力に基づいて、リセットスイッチ１６によりリセットされるまで警報機器１８や照明
機器２３を駆動させる状態が保持されるので、管理人等が制御ボックス１０を解錠してリ
セットスイッチ１６を操作するまで、警報機器１８や照明機器２３を駆動させることがで
き、侵入者に対する威嚇及び撃退効果を高めることができ、シンプルな構成で不法な侵入
を防止する効果の高い防犯装置とすることができる。
【００４２】
また、バッテリ１５から警報機器１８や照明機器２３に駆動電力が供給されるように構
成されているので、交流電源２０などの外部から供給される電力が、侵入後の侵入者の不
法な行為によって断たれた場合でも、バッテリ１５から供給される電力で警報機器１８や
照明機器２３を確実に駆動させることができる。
【００４３】
また、バッテリ１５から撮像機器２５に駆動電力が供給されるように構成されているの
で、交流電源２０などの外部から供給される電力が、落雷等の事故や侵入者の不法な行為
によって断たれた場合でも、バッテリ１５から供給される電力で撮像機器２５を確実に駆
動させることができ、侵入行為の一部始終を映像や画像として記録することが可能となる
。
【００４４】
また、侵入防止用の索状部材として、有刺鉄線３を使用しているので、視覚的に堅牢な
印象を与えることができ、心理的にも侵入を抑止する効果を高めることができる。また、
有刺鉄線３の本線に、単位長さ毎の抵抗値が異なるように構成されたものが用いられた場
合には、侵入者が、有刺鉄線３の単位長さ当たりの抵抗値を測定し、該抵抗値を基にして
用意した電線でバイパス行為を行おうとした場合であっても、有刺鉄線３の単位長さ毎の
抵抗値が異なるため、抵抗値を一致させることが極めて難しく、バイパス行為による不法
な侵入を略完全に阻止することができ、不法な侵入を阻止する効果を一層高めることがで
きる。
【００４５】
なお、上記実施の形態に係る防犯装置では、コイル状に巻かれた有刺鉄線３を用いた場
合について説明したが、有刺鉄線３の張設形態は、支柱やフェンス等との絶縁状態が確保
される形態であれば、蛇行状など、どのような張設形態であってもよい。また、有刺鉄線
以外の索状部材、例えば、ワイヤーなどにも適用するができる。さらに、有刺鉄線３に、
カラーリングを施したり、さらに非導電性の合成樹脂等で形成された装飾物を取り付けた
構成とすることもでき、例えば、図２に示したように、有刺鉄線３の刺線３ｃを薔薇のト
ゲに見立てて、有刺鉄線３を緑色に着色し、合成樹脂等で形成された薔薇の花（造花）３
ｄを有刺鉄線３に取り付ける構成とすることもでき、係る構成によれば、有刺鉄線３特有
の殺伐とした印象を与えることなく、個人宅や集合住宅等との調和を図ることができ、エ
クステリアとしての審美性を兼ね備えたものとすることができる。
【００４６】
また、上記実施の形態に係る防犯装置では、スイッチ素子７が、有刺鉄線３を動かす等
により被覆電線９に所定値以上の張力が作用した場合に電気回路がオープンするように配
設されているが、別の実施の形態では、図３に示したように、有刺鉄線３の他端側３ｂが
、被覆電線６ａの一端に接続され、被覆電線６ａの他端が、マイクロスイッチからなるス
イッチ素子７ＡのＮＣ端子に接続され、スイッチ素子７ＡのＣＯＭ端子に被覆電線６ｂの
一端が接続され、被覆電線６ｂの他端が、スイッチ素子７ＢのＮＣ端子に接続され、スイ
ッチ素子７ＢのＣＯＭ端子に被覆電線８が接続され、被覆電線５に接続された被覆電線６
ｃが、スイッチ素子７ＡのＮＯ端子と、スイッチ素子７ＢのＮＯ端子とに接続された構成
としてもよい。
【００４７】
係る回路構成によれば、通常の状態では、図３（ａ）に示したように、被覆電線５、有
刺鉄線３、被覆電線６ａ、スイッチ素子７ＡのＮＣ端子、ＣＯＭ端子、被覆電線６ｂ、ス
イッチ素子７ＢのＮＣ端子、ＣＯＭ端子、及び被覆電線８の経路で電流が流れるようにな
っている。そして、図３（ｂ）に示したように、被覆電線９が不法な侵入行為により引っ
張られてバネ部材９ａ’が伸びると、被覆電線９とスイッチ素子７Ａのレバー７ａとに連
結された糸部材９ｂ’が引っ張られて、スイッチ素子７Ａのレバー７ａが作動し、プラン
ジャ７ｂが内部に押し込まれて、可動片７ｃがＮＣ端子からＮＯ端子に切り替えられ、電
流経路が、被覆電線５、被覆電線６ｃ、スイッチ素子７ＡのＮＯ端子、ＣＯＭ端子、被覆
電線６ｂ、スイッチ素子７ＢのＮＣ端子、ＣＯＭ端子、及び被覆電線８の経路に切り替わ
る。
【００４８】
また、図３（ｃ）に示したように、被覆電線９が不法な侵入行為によりに引っ張られて
バネ部材９ａが伸びると、被覆電線９とスイッチ素子７Ｂのレバー７ａとに連結された糸
部材９ｂが引っ張られて、スイッチ素子７Ｂのレバー７ａが作動し、プランジャ７ｂが内
部に押し込まれて、可動片７ｃがＮＣ端子からＮＯ端子に切り替えられ、電流経路が、被
覆電線５、被覆電線６ｃ、スイッチ素子７ＢのＮＯ端子、ＣＯＭ端子、及び被覆電線８Ｃ
の経路で電流が流れるようになっており、被覆電線９に張力が作用してスイッチ素子７Ａ
又はスイッチ素子７Ｂの可動片７ｃが、ＮＣ端子からＮＯ端子に切り替わると、有刺鉄線
３を介さない閉じた回路が形成され、回路の抵抗値が変化し（小さくなり）、この抵抗値
の変化を抵抗検出装置１３で検出することができる。
【００４９】
また、図１における被覆電線５又は被覆電線８を延長し、被覆電線５又は被覆電線８間
にスイッチ素子７と同様の構成をしたスイッチ素子を１つ以上介装したり、あるいは、延
長した被覆電線５又は被覆電線５に並列に被覆電線を配線し、スイッチ素子７と同様の構
成をしたスイッチ素子を、並列に接続された被覆電線に介装して、地面上に張設する構成
とすることもでき、係る構成によれば、侵入者が、地面上に張設された電線に足を引っか
けたことを、電気回路のオープン又は回路の抵抗値の変化で検知することも可能となり、
被覆電線５、８の長さやスイッチ素子７の介装箇所等を工夫することにより、多様な侵入
行為の検知を行うことが可能になる。
【００５０】
また、上記実施の形態に係る防犯装置では、被覆電線６と被覆電線８との間に介装され
たスイッチ素子７として、マイクロスイッチを採用した場合について説明したが、別の実
施の形態では、被覆電線６や被覆電線８を引っ張ると内部の接点がオープンする構成のス
イッチを採用することができる。また、スイッチ素子７を設けずに、被覆電線６の他端を
接続端子１１ｂに接続する構成とすることもできる。
【００５１】
また、上記実施の形態に係る防犯装置では、有刺鉄線３を含む電気回路に、交流電源（
ＡＣ１００Ｖ）２０を直流安定化電源回路１２で変換した直流電源（ＤＣ１２Ｖ）を印加
するように構成されているが、別の実施の形態では、交流電源（ＡＣ１００Ｖ）を使用せ
ずに、バッテリ１５の直流電源を有刺鉄線３を含む電気回路に印加する構成としても良い
。また、直流安定化電源回路１２からの電源と、バッテリ１５からの電源とを状況に応じ
て切り替える構成としてもよい。
【００５２】
また、検出保持リレー１７のＯＮにより駆動される警報手段として、音を発する警報機
器１８や、光を発する照明機器２３の他に、警報信号を受信機に発信する送信機などを設
けることも可能である。また、抵抗検出装置１３の検出出力に基づいて、撮像機器２５へ
の電力供給を停止、又は一定時間後に停止する構成を追加、例えば、抵抗検出装置１３の
検出出力に基づいてＯＦＦするリレーを設けるなどして、撮像機器２５の上書き記録によ
るデータ消去を防止する構成としてもよい。
【図面の簡単な説明】
【００５３】
【図１】本考案の実施の形態に係る防犯装置の概略構成を示したブロック図である。
【図２】別の実施の形態に係る防犯装置における有刺鉄線を説明するための図である。
【図３】（ａ）〜（ｃ）は、別の実施の形態に係る防犯装置における有刺鉄線を含む回路の切替動作を説明するための図である。
【符号の説明】
【００５４】
３  有刺鉄線
５、６、６ａ、６ｂ、６ｃ、８、９  被覆電線
７、７Ａ、７Ｂ  スイッチ素子                                                    
１２  直流安定化電源回路                                                        
１３  抵抗検出装置  
１４  充電器
１５  バッテリ
１６  リセットスイッチ
１７  検出保持リレー
１８  警報機器
１９  メイン電源スイッチ
２０  交流電源
２３  照明機器
２５  撮像機器
【図１】
0003114686.tif 000003
【図２】
0003114686.tif 000004
【図３】
0003114686.tif 000005